(57)【要約】【課題】トラフの長さよりも短い区間であっても、所要の長さに切断して、隣りのトラフと嵌め込み接続することが可能なトラフを提供する。【解決手段】長手方向の一端側に狭浅部３２を有し、他端側に広深部３４を有している。狭浅部３２の側壁の外面間隔Ｓ１は広深部３４の側壁の内面間隔Ｓ２よりも狭く、狭浅部３２の深さＤ１は広深部３４の深さＤ２よりも底１２の厚さ分だけ浅くなっている。狭浅部３２の側壁１４の端部外面には外向き突縁３６が形成され、広深部３４の側壁の内面には、複数本の内向き突縁３８が形成されている。外向き突縁３６の外面間隔Ｓ３は、内向き突縁３８の内面間隔Ｓ４よりも広く、広深部３４の側壁１４の内面間隔Ｓ２よりも狭く設定され、内向き突縁３８の内面間隔Ｓ４は、狭浅部３２の側壁の外面間隔Ｓ１よりも広く設定されている。所要の長さになるように内向き突縁３８の際で切断して使用する。【選択図】  図１
2007132007.tif 000002
【特許請求の範囲】
【請求項１】
底（１２）と、その両側から立ち上がる側壁（１４）とを有するトラフにおいて、
長手方向の一端側に他端側よりも側壁（１４）の間隔が狭く、底（１２）が浅い狭浅部（３２）を有し、他端側に前記一端側よりも側壁（１４）の間隔が広く、底（１２）が深い広深部（３４）を有しており、前記狭浅部（３２）の側壁（１４）の外面間隔（Ｓ１）は広深部（３４）の側壁（１４）の内面間隔（Ｓ２）よりも狭く、前記狭浅部（３２）の深さ（Ｄ１）は広深部（３４）の深さ（Ｄ２）よりも底（１２）の厚さ分だけ浅くなっており、
前記狭浅部（３２）の側壁（１４）の端部外面には外向き突縁（３６）が上下方向に形成され、前記広深部（３４）の側壁（１４）の内面には、長手方向に前記外向き突縁（３６）の厚さ（Ｔ）よりも大きい間隔（Ｓ５）をあけて、複数本の内向き突縁（３８）が上下方向に形成されている、ことを特徴とするトラフ。
【請求項２】
前記外向き突縁（３６）の外面間隔（Ｓ３）は、前記内向き突縁（３８）の内面間隔（Ｓ４）よりも広く、前記広深部（３４）の側壁（１４）の内面間隔（Ｓ２）よりも狭く設定され、前記内向き突縁（３８）の内面間隔（Ｓ４）は、前記狭浅部（３２）の側壁（１４）の外面間隔（Ｓ１）よりも広く設定されていることを特徴とする請求項１記載のトラフ。
【請求項３】
隣り合う内向き突縁（３８）の間隔（Ｓ５）は、外向き突縁（３６）の厚さの1.１倍以上、５倍以下であることを特徴とする請求項１又は２記載のトラフ。
【請求項４】
前記広深部（３４）の底（１２）の上には、広深部（３４）の底（１２）と狭浅部（３２）の底（１２）の段差に相当する厚さの枕木部材（４０）が配置されていることを特徴とする請求項１ないし３のいずれかに記載のトラフ。
【請求項５】
請求項１ないし４のいずれかに記載のトラフ（３０）を複数、直列に配置し、隣り合うトラフを、一方のトラフの外向き突縁（３６）を他方のトラフの一番外側の内向き突縁（３８）とその隣りの内向き突縁（３８）との間に嵌め込むことにより、接続したことを特徴とするトラフ連結構造体。
【請求項６】
請求項１ないし４のいずれかに記載のトラフ（３０）と、請求項１ないし４のいずれかに記載のトラフを所要の長さに切断した短尺トラフ（３０Ｔ）とを、直列に配置し、一方のトラフの外向き突縁（３６）を他方のトラフの一番外側の内向き突縁（３８）とその隣りの内向き突縁（３８）との間に嵌め込むことにより、接続したことを特徴とするトラフ連結構造体。
【請求項７】
請求項１ないし４のいずれかに記載のトラフ（３０）及び／又は請求項１ないし４のいずれかに記載のトラフを所要の長さに切断した短尺トラフ（３０Ｔ）と、長さが一定で両端の構造が前記トラフ（３０）と同じになっている定尺トラフ（５０）とを、直列に配置し、一方のトラフの外向き突縁（３６）を他方のトラフの一番外側の内向き突縁（３８）とその隣りの内向き突縁（３８）との間に嵌め込むことにより、接続したことを特徴とするトラフ連結構造体。
【発明の詳細な説明】
【技術分野】
【０００１】
本発明は、鉄道線路脇などに設置して、ケーブル等を収納するのに使用されるトラフと、そのトラフを用いたトラフ連結構造体に関するものである。
【背景技術】
【０００２】
通常のトラフはコンクリート製で、底と、その両側から立ち上がる側壁とを有する断面凹型の形態である。トラフは長さが一定の定尺ものであるため、ケーブルを収納するためには、多数のトラフを、端面を突き合わせるようにして、直列に布設する必要がある。布設されたトラフには、ケーブルを収納した後、蓋が被せられる。
【０００３】
しかしながら、トラフを、単純に端面を突き合わせるようにして布設しただけでは、地震などでトラフが動いて、隣り合うトラフの間又はトラフと蓋の間に隙間が発生しやすい。トラフの間やトラフと蓋の間に隙間が発生すると、そこからネズミが侵入して、トラフ内部のケーブルをかじり、絶縁破壊や断線などを引き起こす要因となる。
【０００４】
この問題を解決するため、図９に示すようなトラフが提案されている（特許文献１参照）。このトラフ１０は、樹脂製で、底１２と、その両側から立ち上がる側壁１４とを有しており、長手方向の一端に雄部１６を、他端に雌部１８を形成し、底１２の雄部１６の下面に突縁部２０を、雌部１８の上面に溝部２２を形成したものである。このトラフ１０を直列に布設するときは、図１０に示すように、一方のトラフ１０の雄部１６を他方のトラフ１０の雌部１８に嵌め込むと共に、雄部１６の突縁部２０を雌部１８の溝部２２に嵌め込んで、隣り合うトラフ１０、１０を連結する。このようにすれば、トラフの間に隙間が発生するおそれがなくなる。
【０００５】
なお、このトラフ１０は、両側壁１４の上端部外面に長手方向に係合溝２４を形成し、蓋２６の下面両側に係合突部２８を形成して、係合溝２４に係合突部２８を弾発的に係合させることにより、蓋２６が移動するのを防止している。
【０００６】
【特許文献１】特開２０００−５５２４０号公報
【発明の開示】
【発明が解決しようとする課題】
【０００７】
定尺のトラフを直列に布設する場合、布設する長さは必ずしもトラフの長さの整数倍になるとは限らない。このため、トラフ布設ルートの中間や端部に、トラフの長さより短い区間がトラフを設置できない空間として残ってしまうことが多い。従来、このような場合には、トラフを切断して長さを調整した短尺のトラフを前記空間に設置していた。
【０００８】
しかし、両端に嵌め込み接続部を有する図９のようなトラフの場合、長さ調整のためトラフを切断すると、切断端側は他のトラフと嵌め込み接続できなくなるので、隣のトラフと端面を突き合わせて設置するだけとなる。その結果、地震が発生したり、トラフの熱伸縮が発生したりすると、短尺トラフの切断端側に隙間ができ、ネズミの侵入による食害を引き起こすことになる。
【０００９】
本発明の目的は、以上のような問題点に鑑み、トラフの長さよりも短い区間であっても、所要の長さに切断して、隣りのトラフと嵌め込み接続することが可能なトラフと、そのトラフを用いたトラフ連結構造体を提供することにある。
【課題を解決するための手段】
【００１０】
この目的を達成するため本発明は、底と、その両側から立ち上がる側壁とを有するトラフにおいて、
長手方向の一端側が他端側よりも側壁の間隔が狭く、底が浅い狭浅部を有し、他端側に前記一端側よりも側壁の間隔が広く、底が深い広深部を有しており、前記狭浅部の側壁の外面間隔は広深部の側壁の内面間隔よりも狭く、前記狭浅部の深さは広深部の深さよりも底の厚さ分だけ浅くなっており、
前記狭浅部の側壁の端部の外面には外向き突縁が上下方向に形成され、前記広深部の側壁の内面には、長手方向に前記外向き突縁の厚さよりも大きい間隔をあけて、複数本の内向き突縁が上下方向に形成されている、ことを特徴とするものである。
【００１１】
本発明のトラフにおいて、前記外向き突縁の外面間隔は、前記内向き突縁の内面間隔よりも広く、前記広深部の側壁の内面間隔よりも狭く設定され、前記内向き突縁の内面間隔は、前記狭浅部の側壁の外面間隔よりも広く設定されていることが好ましい。
【００１２】
本発明のトラフにおいて、隣り合う内向き突縁の間隔は、外向き突縁の厚さの1.１倍以上、５倍以下であることが好ましい。
【００１３】
また本発明のトラフにおいて、前記広深部の底の上には、広深部の底と狭浅部の底の段差に相当する厚さの枕木部材が配置されていることが好ましい。
【００１４】
また本発明に係るトラフ連結構造体は、前記構成のトラフを複数、直列に配置し、隣り合うトラフを、一方のトラフの外向き突縁を他方のトラフの一番外側の内向き突縁とその隣りの内向き突縁との間に嵌め込むことにより、接続したことを特徴とするものである。
【００１５】
また本発明に係る他のトラフ連結構造体は、前記構成のトラフと、前記構成のトラフを所要の長さに切断した短尺トラフとを、直列に配置し、一方のトラフの外向き突縁を他方のトラフの一番外側の内向き突縁とその隣りの内向き突縁との間に嵌め込むことにより、接続したことを特徴とするものである。
【００１６】
また本発明に係るさらに他のトラフ連結構造体は、前記構成のトラフ及び／又は前記構成のトラフを所要の長さに切断した短尺トラフと、長さが一定で両端の構造が前記構成のトラフと同じになっている定尺トラフとを、直列に配置し、一方のトラフの外向き突縁を他方のトラフの一番外側の内向き突縁とその隣りの内向き突縁との間に嵌め込むことにより、接続したことを特徴とするものである。
【発明の効果】
【００１７】
本発明に係るトラフは、狭浅部の側壁の外面に形成された外向き突縁を、隣のトラフの広深部の内面に形成された内向き突縁の間に嵌め込むことにより、隣のトラフと接続するものであるが、広深部の側壁の内面には、複数本の内向き突縁が形成されているので、どの内向き突縁の際で切断しても、切断端に隣りのトラフの外向き突縁を嵌め込み接続できる状態となる。したがって長さ調整を広範囲に行うことができると共に、切断端に隣のトラフを嵌め込み接続することができ、トラフ間に隙間ができるのを防止できる。
【００１８】
また、広深部の側壁の内面の、複数本の内向き突縁は、トラフ長手方向に外向き突縁の厚さよりも広い間隔をあけて形成されているので、内向き突縁の間に嵌め込まれた外向き突縁は、内向き突縁の間で長手方向に移動可能である（遊びがある）ので、これによっても長さ調整が可能である。
【００１９】
外向き突縁の間隔は、内向き突縁の厚さの1.１倍より小さいと、嵌め込み接続の作業性が悪くなり、５倍より大きくすると、トラフが長くなると共に重量が大きくなって取扱い性がわるくなるので、1.１倍以上、５倍以下にしておくとよい。
【００２０】
本発明に係るトラフは、広深部の底と狭浅部の底の境に段差があるので、このトラフを直列に接続して布設して、ケーブルを収納すると、段差の部分でケーブルに局部的な応力がかかるおそれがある。これを回避するためには、広深部の底の上面に段差に相当する厚さの枕木部材を配置すればよい。
【００２１】
また本発明によれば、前記構成のトラフを複数連結したり、前記構成のトラフと、そのトラフを所要の長さに切断した短尺トラフとを連結したり、あるいは前記構成のトラフ及び／又はそのトラフを所要の長さに切断した短尺トラフと定尺トラフとを連結したりすることにより、トラフ布設長さ（距離）がどのような長さであっても、隣り合うトラフ間に隙間を生じさせることなくトラフを布設することができる。
【発明を実施するための最良の形態】
【００２２】
図１は本発明に係るトラフの一実施形態を示す。このトラフ３０は、樹脂製で、底１２と、その両側から立ち上がる側壁１４とを有するものであるが、長手方向の一端側が他端側よりも側壁１４の間隔が狭く、底１２が浅い狭浅部３２となっており、他端側が前記一端側よりも側壁１４の間隔が広く、底１２が深い広深部３４となっている。狭浅部３２の側壁１４の外面間隔Ｓ１は広深部３４の側壁１４の内面間隔Ｓ２よりも狭く、狭浅部３２の深さＤ１は広深部３４の深さＤ２よりも底１２の厚さ分だけ浅くなっている。広深部３４の長さは狭浅部３２の長さよりも長い。
【００２３】
狭浅部３２の側壁１４の端部の外面には、外向き突縁３６が上下方向に形成されている。また広深部３４の側壁１４の内面には、長手方向に前記外向き突縁３６の厚さＴよりも広い間隔Ｓ５をあけて、複数本の内向き突縁３８が上下方向に形成されている。隣り合う内向き突縁３８の間隔Ｓ５は、外向き突縁の厚さの1.１倍以上、５倍以下とすることが好ましい。
【００２４】
外向き突縁３６の外面間隔Ｓ３は、内向き突縁３８の内面間隔Ｓ４よりも広く、前記広深部３４の側壁１４の内面間隔Ｓ２よりも若干狭く設定されている。また内向き突縁３８の内面間隔Ｓ４は、前記狭浅部３２の側壁１４の外面間隔Ｓ１よりも若干広く設定されている。
【００２５】
このトラフ３０は、上記のような構成であるので、２つのトラフを直列接続する場合は、一方のトラフの外向き突縁３６を、他方のトラフの一番外側の内向き突縁３８とその隣りの内向き突縁３８の間に嵌め込むことにより、簡単に接続することができる。また長さ調整が必要なときは、外向き突縁３６側の端部から所要の長さの所にある内向き突縁３８の外側の際、例えばＡ−Ａ線で切断すれば、所要の長さの短尺トラフを得ることができる。図２に切断された短尺トラフ３０Ｔを示す。この短尺トラフ３０Ｔは、切断端の形が切断前の形と同じになるので、一番外側の内向き突縁３８とその隣りの内向き突縁３８の間に、切断してないトラフ３０の外向き突縁３６を嵌め込むことにより、切断してないトラフ３０と簡単に接続することができる。このように、このトラフ３０は、切断する位置を変えることによって広範囲に長さ調整が可能であり、かつ切断後も他のトラフと嵌め込み接続することが可能である。
【００２６】
また、このトラフ３０は、底１２に段差があるので、この段差がケーブルに悪影響を及ぼすおそれのある場合には、図２に示すように、広深部３４の底１２の上に、段差に相当する厚さの枕木部材４０配置するとよい。
【００２７】
図３は本発明の他の実施形態を示す。この実施形態は、狭浅部３２の長さを広深部３４の長さよりも長くした場合である。このようなトラフ３０を使用すると、枕木部材を設置しなくてもケーブルをほぼ水平に収納することが可能である。なお、この実施形態では、狭浅部３２の下面に台部４２を一体に形成して、このトラフ３０を単体で直置きした場合でも安定して設置できるようにしてある。また狭浅部３２の側壁１４の外面には補強用のリブ４４が一体に形成されている。上記以外の構成は図１のトラフと同様であるので、同一部分には同一符号を付して説明を省略する。
【００２８】
図３のトラフ３０も、図１のトラフ３０と同様に長さ調整が可能である。例えばＡ−Ａ線で切断することにより短尺トラフを得ることができる。ただし、広深部３４の長さが短く、内向き突縁３８の本数が少ないため、長さ調整範囲が狭いという難点がある。
【００２９】
図４は本発明のさらに他の実施形態を示す。このトラフ３０は、図１のトラフ３０よりも狭浅部３２を若干長くし、狭浅部３２の外周面にリブ４４を設けたものである。それ以外の構成は、図１のトラフ３０と同じであるので、同一部分には同一符号を付して説明を省略する。
【００３０】
図５は図４のトラフ３０と組み合わせて使用される長さが一定の定尺トラフ５０を示す。定尺トラフ５０は、ほぼ全長が図４のトラフ３０の狭浅部３２と同じ断面サイズの狭浅部３２で構成され、この狭浅部３２の一端に外向き突縁３６を形成し、他端に図４のトラフ３０の広深部３４と同じ断面寸法の短い広深部３４を形成すると共に、その広深部３４の外端に内向き突縁３８を形成したものである。
【００３１】
この定尺トラフ５０は、図６（Ａ）に示すように、一方のトラフ５０の外向き突縁３６を、他方のトラフ５０の広深部３４に嵌め込むことにより、直列に接続して、布設するものである。定尺トラフ５０は長さ調整ができないので、定尺トラフ５０の長さよりも短い布設区間が発生した場合には、図４に示す長さ調整用のトラフ３０を所要の長さに切断した短尺トラフ３０Ｔを、図６（Ｂ）のように定尺トラフ５０の間（又は端部）に設置して、直列接続すればよい。
【００３２】
なお、１本の長さ調整用のトラフ３０で長さを調整できる範囲は、そのトラフ３０の広深部３４の長さ以内となるが、それよりも長い範囲の長さ調整を必要とする場合には、図６（Ｃ）に示すように長さ調整用のトラフ３０を適当な長さに切断した２本の短尺トラフ３０Ｔを組み合わせて使用すればよい。
【００３３】
このように、長さ調整用に図４に示すトラフ３０を使用すれば、定尺トラフ５０の長さよりも短い布設区間が発生した場合に、その区間がどのような長さであっても対応可能である。
【００３４】
図７は本発明のトラフと組み合わせて使用される蓋６０を示す。この蓋６０は、長さ調整のトラフ３０及び定尺トラフ５０に被さるように断面逆凹形に形成された蓋本体６２の一端に挿入部６４を一体に形成したものである。この蓋６０は、定尺ものであるが、蓋本体６２を任意の位置、例えばＡ−Ａ線で切断することにより、長さを調整することが可能である。
【００３５】
図８は、定尺の蓋６０を、長さを短くした蓋６０Ｔを介して接続した状態を示す。蓋６０と６０Ｔ（又は６０同士）は連結金具６６で連結して動かないようにしておくことが好ましい。
【図面の簡単な説明】
【００３６】
【図１】本発明に係るトラフの一実施形態を示す斜視図。
【図２】図１のトラフの使用状態を示す斜視図。
【図３】本発明に係るトラフの他の実施形態を示す斜視図。
【図４】本発明に係るトラフのさらに他の実施形態を示す、（Ａ）は平面図、（Ｂ）は正面図、（Ｃ）は底面図、（Ｄ）は左側面図、（Ｅ）は右側面図、（Ｆ）は（Ａ）のＦ−Ｆ線断面図、（Ｇ）、（Ｈ）、（Ｉ）はそれぞれ（Ｂ）のＧ−Ｇ線、Ｈ−Ｈ線、Ｉ−Ｉ線の断面図。
【図５】図４のトラフと組み合わせて使用される定尺トラフを示す、（Ａ）は平面図、（Ｂ）は正面図、（Ｃ）は底面図、（Ｄ）は左側面図、（Ｅ）は右側面図、（Ｆ）は（Ａ）のＦ−Ｆ線断面図、（Ｇ）、（Ｈ）、（Ｉ）はそれぞれ（Ｂ）のＧ−Ｇ線、Ｈ−Ｈ線、Ｉ−Ｉ線の断面図。
【図６】（Ａ）は図５の定尺トラフを直列接続した状態を示す平面図、（Ｂ）、（Ｃ）はそれぞれ図４のトラフを切断して得た短尺トラフと、図５の定尺トラフを直列接続した状態を示す平面図。
【図７】本発明のトラフに使用される蓋の一例を示す斜視図。
【図８】図７の蓋を、図７の蓋を切断して得た短尺蓋を介して接続した状態を示す斜視図。
【図９】（Ａ）は従来のトラフと蓋を示す斜視図、（Ｂ）は（Ａ）のトラフを反対側から見た斜視図。
【図１０】図７のトラフを接続した状態を示す断面図。
【符号の説明】
【００３７】
１２：底
１４：側壁
３０：トラフ
３０Ｔ：短尺トラフ
３２：狭浅部
３４：広深部
３６：外向き突縁
３８：内向き突縁
４０：枕木部材
５０：定尺トラフ
６０：蓋
【図１】
2007132007.tif 000003
【図２】
2007132007.tif 000004
【図３】
2007132007.tif 000005
【図４】
2007132007.tif 000006
【図５】
2007132007.tif 000007
【図６】
2007132007.tif 000008
【図７】
2007132007.tif 000009
【図８】
2007132007.tif 000010
【図９】
2007132007.tif 000011
【図１０】
2007132007.tif 000012